(57)【要約】【課題】焦点調節位置をより的確に選択可能にする撮像装置を提供すること。【解決手段】撮像装置は、光学ファインダーと、撮像手段で撮像されたライブビュー画像を表示する表示手段と、光学ファインダーに被写体像を映し出して撮影を行う第１の動作モードと、表示手段にライブビュー画像を表示させて撮影を行う第２の動作モードとを含む複数の動作モードのいずれかに切り替える切替手段と、第１の動作モードで動作しているときに、焦点調節位置を変更するための第１の操作があったことに応じて、表示手段において、ライブビュー画像に焦点調節位置を表す表示アイテムを重畳させた画像が表示された第１の状態に変更するように制御する制御手段と、を有する。【選択図】図３
2019053211.tif 000002
【特許請求の範囲】
【請求項１】
光学ファインダーと、
撮像手段で撮像されたライブビュー画像を表示する表示手段と、
前記光学ファインダーに被写体像を映し出して撮影を行う第１の動作モードと、前記表示手段にライブビュー画像を表示させて撮影を行う第２の動作モードとを含む複数の動作モードのいずれかに切り替える切替手段と、
前記第１の動作モードで動作しているときに、焦点調節位置を変更するための第１の操作があったことに応じて、前記表示手段において、ライブビュー画像に焦点調節位置を表す表示アイテムを重畳させた画像が表示された第１の状態に変更するように制御する制御手段と、
を有することを特徴とする撮像装置。
【請求項２】
前記光学ファインダーへの接眼を検知する検知手段をさらに有し、
前記制御手段は、前記第１の動作モードで動作しているときに、前記検知手段により接眼が検知されていない状態で前記第１の操作があったことに応じて、前記第１の状態へ変更するように制御することを特徴とする請求項１に記載の撮像装置。
【請求項３】
前記光学ファインダーに映し出された前記被写体像に焦点調節位置を表す表示アイテムを重畳させる内部表示手段をさらに有し、
前記制御手段は、前記第１の動作モードで動作しているときに、前記検知手段により接眼が検知されている状態でユーザによって前記第１の操作が行われた場合には、前記第１の状態への変更は行わず、前記表示アイテムを前記内部表示手段に表示させることを特徴とする請求項２に記載の撮像装置。
【請求項４】
前記切替手段は、前記第１の操作とは異なる第２の操作に応じて、動作モードを切り替えることを特徴とする請求項１〜３のいずれか１項に記載の撮像装置。
【請求項５】
前記制御手段は、前記第１の状態のときに、前記第１の状態を終了させる操作が行われた場合に、前記表示手段にライブビュー画像が表示された状態から、被写体像を前記光学ファインダーに映し出す状態に戻すことを特徴とする請求項１〜４のいずれか１項に記載の撮像装置。
【請求項６】
前記第１の状態を終了させる操作は、シャッターボタンを半押しする操作を含むことを特徴とする請求項５に記載の撮像装置。
【請求項７】
前記第１の状態を終了させる操作は、前記第１の状態において焦点調節位置を決定する操作を含むことを特徴とする請求項５または６に記載の撮像装置。
【請求項８】
ミラーを、前記第１の動作モードにおいては入射光を前記光学ファインダーに導く第１の位置とし、前記第２の動作モードにおいては入射光を前記撮像手段に導く第２の位置とするように制御するミラー駆動手段と、をさらに有し、
前記制御手段は、前記第１の状態に変更するときに、前記ミラー駆動手段により前記ミラーを前記第１の位置から前記第２の位置へ変更するように制御することを特徴とする請求項１〜７のいずれか１項に記載の撮像装置。
【請求項９】
前記第１の動作モードで動作しているときに焦点検出を行うことが可能な、前記撮像手段の撮像面と異なる位置に設けられた焦点検出手段をさらに有し、
前記第１の状態は、前記焦点検出手段で焦点検出可能な複数の焦点検出位置のうち、焦点調節に用いる焦点検出位置を選択することが可能な状態であることを特徴とする請求項
１〜８のいずれか１項に記載の撮像装置。
【請求項１０】
前記第１の状態では、前記複数の焦点検出位置を示す複数の指標と、前記指標のうち焦点検出位置として選択されたことを示す前記表示アイテムとが、ライブビュー画像に重畳してそれぞれ識別可能に表示されることを特徴とする請求項９に記載の撮像装置。
【請求項１１】
前記表示手段に対するユーザからのタッチ操作を検知するタッチ検知手段をさらに有することを特徴とする請求項１〜１０のいずれか１項に記載の撮像装置。
【請求項１２】
光学ファインダーと、
撮像手段で撮像されたライブビュー画像を表示する表示手段と、を有する撮像装置の制御方法であって、
前記光学ファインダーに被写体像を映し出して撮影を行う第１の動作モードと、前記表示部にライブビュー画像を表示させて撮影を行う第２の動作モードとを含む複数の動作モードのいずれかに切り替える切替ステップと、
焦点調節位置を変更するための第１の操作を受け付ける受付ステップと、
前記第１の動作モードで動作しているときに前記第１の操作があったことに応じて、表示部において、ライブビュー画像に焦点調節位置を表す表示アイテムを重畳させた画像が表示された第１の状態に変更するように制御する制御ステップと、を有することを特徴とする撮像装置の制御方法。
【請求項１３】
コンピュータを、請求項１〜１１のいずれか１項に記載された撮像装置の各手段として機能させるためのプログラム。
【請求項１４】
請求項１〜１１のいずれか１項に記載された撮像装置の各手段としてコンピュータを機能させるためのプログラムを格納したコンピュータが読み取り可能な記憶媒体。
【発明の詳細な説明】
【技術分野】
【０００１】
本発明は、撮像装置の制御方法に関する。
【背景技術】
【０００２】
被写体を内部の光学スクリーンに映し出す光学ファインダーと、被写体の画像をライブビュー表示する背面ディスプレイとを備えた撮像装置がある。この撮像装置では、光学スクリーンへの表示とライブビュー表示とを適宜切り替えて撮影を行うことができる。ライブビュー表示とは、撮像素子から連続的に画像信号を読み出し、背面ディスプレイに順次画像を表示することによって、被写体の画像をリアルタイムに表示する表示方法である。
【０００３】
また、光学スクリーンには液晶パネルが内蔵されており、この液晶パネルにはＡＦ（Auto Focus）の焦点調節位置を示すマーカーが表示されるため、被写体との位置関係を確認しながら焦点調節位置を設定することができる。焦点調節位置とは、複数の測距点のうちの撮影に使用される測距点の位置である。
特許文献１においては光学ファインダーを使って撮影を行っている際に、光学ファインダー内で光学スクリーンを表示パネルに切替え、表示パネルに撮影画像を表示することが記載されている。
【先行技術文献】
【特許文献】
【０００４】
【特許文献１】特開２０１０−１０３７９０号公報
【発明の概要】
【発明が解決しようとする課題】
【０００５】
光学ファインダーを用いて撮影している際に焦点調節位置を選択する方法としては、光学ファインダー内の液晶パネルで焦点調節位置を選択する方法と、背面ディスプレイにおいて焦点調節位置を選択する方法とがある。しかしながら、後者の方法では焦点調節位置の選択時に背面ディスプレイにはライブビュー画像が表示されず、被写体の位置や大きさを確認することができない。それゆえ、被写体に合わせて的確に焦点調節位置を選択することができないという問題がある。
本発明は、上記の問題点に鑑み、焦点調節位置をより的確に選択可能にする撮像装置を提供することを目的とする。
【課題を解決するための手段】
【０００６】
本発明の第一態様は、光学ファインダーと、撮像手段で撮像されたライブビュー画像を表示する表示手段と、前記光学ファインダーに被写体像を映し出して撮影を行う第１の動作モードと、前記表示手段にライブビュー画像を表示させて撮影を行う第２の動作モードとを含む複数の動作モードのいずれかに切り替える切替手段と、前記第１の動作モードで動作しているときに、焦点調節位置を変更するための第１の操作があったことに応じて、前記表示手段において、ライブビュー画像に焦点調節位置を表す表示アイテムを重畳させた画像が表示された第１の状態に変更するように制御する制御手段と、を有することを特徴とする撮像装置を提供する。
【発明の効果】
【０００７】
本発明によれば、焦点調節位置をより的確に選択することができる。
【図面の簡単な説明】
【０００８】
【図１】撮影装置の外観の例を示す図である。
【図２】撮像装置及びレンズユニットの構成例を示すブロック図である。
【図３】実施例１における焦点調節位置の設定処理のフローチャートである。
【図４】表示部又はファインダー内表示部における表示例を示す図である。
【図５】実施例２における焦点調節位置の設定処理のフローチャートである。
【発明を実施するための形態】
【０００９】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１０】
＜実施例１＞
（撮影装置の外部構成）
図１Ａ及び図１Ｂは、撮像装置１００の外観の例を示す図である。図１Ａは、撮像装置１００の前面側の斜視図を示し、図１Ｂは、撮像装置１００の背面側の斜視図を示している。
表示部２８は、撮像装置１００の背面に設けられ、ライブビュー表示の画像や後述する撮影機能画面（図４Ａ）等を表示する表示部である。
ファインダー外表示部４３は、撮像装置１００の上面に設けられ、シャッター速度や絞りをはじめとする撮像装置の様々な設定情報を表示する。
シャッターボタン６１は、撮影指示を行うための操作部である。シャッターボタン６１を半押しすることで、オートフォーカス（以下、ＡＦ）機能がオンとなり、被写体との焦点が調整される。シャッターボタン６１を全押しすることで撮影が行われる。
モード切替スイッチ６０は、回転操作部材であり、各種撮影モードを切り替えるための操作部である。
端子カバー４０は、外部機器との接続ケーブルと撮像装置１００とを接続する接続ケーブル等のコネクタ（不図示）を保護するカバーである。
【００１１】
操作部７０（図２）は、メイン電子ダイヤル７１、サブ電子ダイヤル７３、十字キー７４、ＳＥＴボタン７５、ＬＶボタン７６、ＡＦフレーム選択ボタン７７、ＩＮＦＯボタン７８及び再生ボタン７９を含む。
メイン電子ダイヤル７１は、回転操作部材であり、このメイン電子ダイヤル７１を回すことで、シャッター速度や絞りなどの設定値の変更等が行える。電源スイッチ７２は、撮像装置１００の電源のＯＮ及びＯＦＦを切り替える操作部材である。サブ電子ダイヤル７３は、回転操作部材であり、選択枠の移動や画像送りなどを行う際に用いられる。十字キー７４は、上、下、左、右部分をそれぞれ押し込み可能な十字キー（４方向キー）である。十字キー７４の押した部分に応じた操作が可能である。例えば、十字キー７４は、メニュー画面で各種項目を選択する際に用いられる。ＳＥＴボタン７５は、押しボタンであり、主に選択項目の決定などに用いられる。ＬＶボタン７６は、ライブビュー（ＬＶ）のＯＮとＯＦＦを切り替えるボタンである。このＬＶボタン７６を押すこと（第２の操作）で動作モードをＯＶＦモードとＬＶモードを切り替えることができる。ＯＶＦモードは、ファインダー１６を用いて撮影する動作モードであり、ＬＶモードは、表示部２８に表示されたライブビュー画像を用いて撮影する動作モードである。なお、動画撮影モードにおいては、ＬＶボタン７６は、動画撮影（記録）の開始、停止の指示に用いられる。ＡＦフレーム選択ボタン７７は、焦点調節位置を選択する際に操作するボタンである。ＩＮＦＯボタン７８は、撮影に関する各種設定を行うための撮影機能画面の表示、非表示を切り替え
るための操作ボタンである。再生ボタン７９は、撮影モードと再生モードとを切り替える操作ボタンである。撮影モード中に再生ボタン７９を押下することで再生モードに移行し、撮像装置１００は記録媒体２００に記録された画像を表示部２８に表示する。
【００１２】
クイックリターンミラー１２は、ファインダー１６又は撮像部２２のいずれかに入射光を導く。システム制御部５０からの指示に応じて不図示のアクチュエータ（ミラー駆動部）によりアップダウンされる。通信端子１０は、撮像装置１００が着脱可能なレンズ（不図示）と通信を行う為の通信端子である。
ファインダー１６は、フォーカシングスクリーン１３（図２）に映し出された被写体像（光学像）を確認するための覗き込み型の光学ファインダーである。
蓋２０２は、記録媒体２００が格納されるスロットの蓋である。
グリップ部９０は、ユーザが撮像装置１００を構えた際に右手で握りやすい形状とした保持部である。
【００１３】
（撮像装置の内部構成）
図２は、撮像装置１００及びレンズユニット１５０の構成例を示すブロック図である。
まず、レンズユニット１５０の各部について説明する。
レンズユニット１５０は、撮像装置１００に取り付けられ、交換可能な撮影レンズを搭載するレンズユニットである。レンズユニット１５０は、絞り１、絞り駆動回路２、ＡＦ駆動回路３、レンズシステム制御回路４、通信端子６及びレンズ１０３を有する。なお、レンズ１０３は、複数枚のレンズから構成されるが、ここでは省略して一枚のレンズのみを示している。
通信端子６は、レンズユニット１５０が撮像装置１００側と通信を行うための通信端子であり、通信端子１０は、撮像装置１００がレンズユニット１５０側と通信を行うための通信端子である。レンズユニット１５０は、この通信端子６及び通信端子１０を介してシステム制御部５０から制御情報を受信する。レンズシステム制御回路４は、この制御情報に基づいて、絞り駆動回路２を介して絞り１の制御を行い、さらにＡＦ駆動回路３を介してレンズ１０３の位置を変位させることで焦点を合わせる。
【００１４】
次に、撮像装置１００の各部について説明する。
ＡＥセンサ１７は、被写体像の輝度を測光し、輝度情報としてシステム制御部５０に出力する。システム制御部５０は輝度情報に基づいて絞り値やシャッター速度を決定する。
焦点検出部１１（焦点検出手段）は、撮像部２２の撮像面とは異なる位置でデフォーカス量を測定し、デフォーカス量情報をシステム制御部５０に出力する。システム制御部５０はデフォーカス量情報に基づいてレンズユニット１５０を制御し、位相差ＡＦを行う。
クイックリターンミラー１２（以下、ミラー１２）は、露光、ライブビュー撮影、動画撮影の際にシステム制御部５０から指示されて、不図示のアクチュエータによりアップダウンされる。ＯＶＦモードの際は、入射光をミラー１２で反射させ、光束をファインダー１６側のフォーカシングスクリーン１３に導く（ミラーダウン状態（第１の位置））。一方で撮影が行われる場合やライブビュー表示を行う場合は、撮像装置１００はミラー１２を上方に跳ね上げて入射光の光束から待避させ（ミラーアップ状態（第２の位置））、光束を撮像部２２へ導く。
また、ミラー１２はハーフミラーとなっており、ミラーダウン状態ではミラー１２を透過した一部の光が焦点検出部１１に入射し、焦点検出部１１により被写体に対するデフォーカス量が検出される。つまり、ファインダー１６を使用した撮影時には、焦点検出部１１においてＡＦがおこなわれる。一方でライブビュー撮影時には、焦点検出部１１を使用せず、撮像部２２から出力される信号を基に画像処理部２４およびシステム制御部５０でＡＦがおこなわれる。
また、ミラー１２を反射した光はフォーカシングスクリーン１３に照射される。ファインダー１６及びペンタプリズム１４を介してフォーカシングスクリーン１３に映し出され
た像を観察することで被写体像の焦点や構図を確認することができる。
【００１５】
シャッター１０１は、システム制御部５０の制御で撮像部２２の露光時間を自由に制御できるフォーカルプレーンシャッターである。撮像部２２は、光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
画像処理部２４は、Ａ／Ｄ変換器２３からの画像データ、又は、メモリ制御部１５からの画像データに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ処理、ＡＥ（自動露出）処理、ＥＦ（フラッシュプリ発光）処理が行われる。さらに画像処理部２４は、撮像した画像データを用いて所定の演算処理を行い、得られた演算結果に基づいてＴＴＬ方式のＡＷＢ（オートホワイトバランス）処理を行う。
【００１６】
Ａ／Ｄ変換器２３から出力されたデータは画像処理部２４及びメモリ制御部１５を介してメモリ３２に書き込まれるか、メモリ制御部１５のみを介してメモリ３２に書き込まれる。メモリ３２は、撮像部２２によって撮像された画像データや、表示部２８に表示するための画像データを記憶し、所定枚数の静止画像や所定時間の動画像及び音声を記憶するのに十分な記憶容量を備えている。また、メモリ３２は画像表示用のメモリ（ビデオメモリ）を兼ねている。
【００１７】
Ｄ／Ａ変換器１９は、メモリ３２に格納されている画像表示用のデジタルデータをアナログ信号に変換して表示部２８に出力する。
表示部２８は、液晶ディスプレイ（ＬＣＤ）等であり、Ｄ／Ａ変換器１９から入力されたアナログ信号に応じて撮影された画像を表示したり、ライブビュー表示を行ったりする。ライブビュー表示を行う場合は、メモリ３２に蓄積されたデジタル信号がＤ／Ａ変換器１９において逐次アナログ信号に変換され、表示部２８に転送された画像が順次表示される。これにより、表示部２８でライブビュー表示が行われる。
【００１８】
ファインダー内表示部４１（内蔵パネル）は、ファインダー１６内に設けられた液晶の表示パネル（内部表示手段）である。ファインダー内表示部４１は有機ディスプレイであってもよい。ファインダー内表示部４１には、各測距点（以下、焦点検出位置）を示すＡＦフレームや、カメラの設定状態等を表すアイコンなどが表示される。これにより、ユーザはファインダー１６を覗きつつ、撮影に用いるＡＦフレームを選択したり、各種設定を確認したりすることが可能となる。ファインダー内表示部駆動回路４２は、ファインダー内表示部４１にアイコン等の画像を表示させる。
ファインダー外表示部４３には、ファインダー外表示部駆動回路４４を介して、シャッター速度や絞りをはじめとするカメラの様々な設定値が表示される。ファインダー外表示部４３に設定画面を表示させることで細かい設定が容易に行える。
不揮発性メモリ６６は、電気的に消去・記録可能なメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）等が用いられる。不揮発性メモリ６６には、システム制御部
５０の動作用の定数、プログラム等が記憶される。なお、ここでいうプログラムとは、後述するフローチャートを実行するためのプログラムのことである。
【００１９】
システムメモリ５２は、システム制御部５０が処理の際に用いるメモリであり、ＲＡＭ（Ｒａｍｄｏｍ  Ａｃｃｅｓｓ  Ｍｅｍｏｒｙ）が用いられる。システムメモリ５２には、システム制御部５０の動作用の定数、変数、不揮発性メモリ６６から読み出したプログラム等が展開される。システムタイマー５３は、各種制御に用いる時間や、内蔵された時
計の時間を計測する計時部である。
【００２０】
モード切替スイッチ６０、第１シャッタースイッチ６２、第２シャッタースイッチ６４及び操作部７０は、システム制御部５０に各種の動作指示を入力するための操作手段である。
モード切替スイッチ６０は回転部材であり、回転操作により各種モードに切り替えられる。具体的には、モード切替スイッチ６０の位置に応じてシステム制御部５０が静止画記録モード、動画撮影モード、再生モード等のいずれかのモードに切り替える。静止画記録モードとしては、オート撮影モード、オートシーン判別モード、マニュアルモード、絞り優先モード（Ａｖモード）、シャッター速度優先モード（Ｔｖモード）がある。さらに静止画記録モードとして、撮影シーン別の撮影設定となる各種シーンモード、プログラムＡＥモード、カスタムモード等がある。
モード切替スイッチ６０を操作することにより、上述のいずれかのモードに直接切り替えられるようにしてもよい。また、モード切替スイッチ６０が操作された際に、選択された大区分のモードに含まれる小区分のモードを一覧表示し、他の操作部材を用いて小区分のモードを選択できるようにしてもよい。例えば、モード切替スイッチ６０でシーンモードが選択された場合に、システム制御部５０は、シーンモードに属するポートレートモード、風景モード、マクロモード等の小区分のモードを表示部２８に一覧表示する。そして、システム制御部５０は、いずれかの小区分モードの選択を受付けてもよい。同様に、動画撮影モードにも複数のモードが含まれてもよい。
【００２１】
第１シャッタースイッチ６２は、撮像装置１００に設けられたシャッターボタン６１の操作途中、いわゆる半押し（撮影準備指示）でＯＮとなり第１シャッタースイッチ信号ＳＷ１がシステム制御部５０に送信される。第１シャッタースイッチ信号ＳＷ１により、システム制御部５０は、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ６４は、シャッターボタン６１の操作完了、いわゆる全押し（撮影指示）でＯＮとなり、第２シャッタースイッチ信号ＳＷ２がシステム制御部５０に送信される。システム制御部５０は、第２シャッタースイッチ信号ＳＷ２により、撮像部２２からの信号読み出しから記録媒体２００に画像データを書き込むまでの一連の撮影処理の動作を開始する。
【００２３】
操作部７０の各操作部材は、例えば、表示部２８において各種操作を行う場合に使用され、表示部２８に表示された内容に応じて各操作部材に機能が割り当てられる。例えば、終了ボタン、戻るボタン、画像送りボタン、ジャンプボタン、絞込みボタン、属性変更ボタンとしての機能が割り当てられる。
また、十字キー７４及びＳＥＴボタン７５は、表示部２８に表示される種々の機能アイコンを選択する際に使用される。例えば、メニュー画面が表示部２８に表示されている場合に、メニュー画面に表示された各種の設定項目を十字キー７４で選択し、ＳＥＴボタン７５で決定することで容易に各種設定を行うことができる。なお、各操作部材の位置に関しては、図１Ａ及び図１Ｂに示される。
また、操作部７０には、表示部２８に対するタッチ操作を受け付けるタッチパネル７０ａ（タッチ検知手段）が含まれる。タッチパネル７０ａは表示部２８の上側に積層され、一体的に構成される。例えば、タッチパネル７０ａは、光の透過率が表示部２８の表示を妨げない透明な板状の部材であり、表示部２８の表示面の上層に設けられる。そして、タッチパネル７０ａにおける入力座標と、表示部２８上の表示座標とが対応付けられる。これにより、ユーザが表示部２８上に表示された画面を直接的に操作可能であるかのようなＧＵＩ（グラフィカルユーザインターフェース）を構成することができる。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ電気を供給する。電源部３０は、撮像装置１００に電力を供給する。例えば、電源部３０は、アルカリ電池やリチウム電池等の一次電池やＮｉＣｄ電池やＮｉＭＨ電池、Ｌｉ電池等の二次電池、ＡＣアダプター等で構成される。
【００２５】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
通信部５４は、有線ケーブルによって外部機器と接続し、撮像部２２で撮像した画像データ（ライブビュー表示によるスルー画像を含む）や、記録媒体２００に記録された画像を外部機器に送信する。また、通信部５４は、無線ＬＡＮ（Ｌｏｃａｌ  Ａｒｅａ  Ｎｅｔｗｏｒｋ）やインターネットを介して外部機器へ画像データを送信することができる。また、通信部５４は、外部機器から画像データやその他の各種情報を受信することもできる。
【００２６】
姿勢検知部５５は、重力方向に対する撮像装置１００の姿勢を検知する。姿勢検知部５５で検知された姿勢に基づいて、撮像部２２で撮影された画像が、撮像装置１００を横に構えて撮影された画像であるか、縦に構えて撮影された画像なのかを判別する。システム制御部５０は、姿勢検知部５５で検知された姿勢に応じた向き情報を撮像部２２で撮像された画像の画像ファイルに付加したり、向き情報に応じて画像を回転させて記録したりすることもできる。姿勢検知部５５としては、例えば、加速度センサやジャイロセンサなどが用いられる。
【００２７】
接眼検知部５６（検知部）は、ファインダー１６の接眼部に対する目又は顔（物体）の接近（以下、接眼という）を検知する。接眼検知部５６は、例えば赤外線近接センサを用いることができ、ファインダーの接眼部への何らかの物体の接近を検知することができる。物体（目又は顔）が接近した場合、接眼検知部５６の投光部（不図示）から投光した赤外線が反射して赤外線近接センサの受光部（不図示）に受光される。受光された赤外線の量によって、システム制御部５０は、物体が接眼部からどの距離まで近づいているかを判別する。なお、赤外線近接センサを用いて接眼を検知する方法は一例であり、他のセンサを用いてもよい。例えば、接眼検知部５６は、目又は顔にパルス光を照射し、受光素子にて反射されたパルス光を測定することで、物体の接近を検知してもよい。
【００２８】
このように、接眼検知部５６は、ファインダー１６へのユーザの接近を検知する接眼検知（接近検知）を行う。接眼検知部５６は、非接眼状態から、ファインダー１６の接眼部に対して所定距離以内に近づく物体が検出された場合に、接眼されたと判定するものとする。一方で接眼検知部５６は、接眼状態から、接近を検知していた物体が所定距離以上離れた場合に離眼されたと判定するものとする。
また、接眼を検出する閾値と、離眼を検出する閾値は例えばヒステリシスを設けるなどして異なっていてもよい。また、接眼を検出した後は、離眼を検出するまでは接眼状態であるものとする。離眼を検出した後は、接眼を検出するまでは非接眼状態であるものとする。
【００２９】
本実施例の撮像装置１００は、複数の動作モードとして、ＯＶＦモード（光学ビューファインダーモード（第１の動作モード））とＬＶモード（ライブビューモード（第２の動作モード））を有している。ＯＶＦモードは、ファインダー１６を用いて撮影する動作モードであり、ＬＶモードは表示部２８に表示されたライブビュー画像を用いて撮影する動
作モードである。例えば、ユーザがＬＶボタン７６を押すたびに、システム制御部５０によって、ＯＶＦモードとＬＶモードの切替えが実行される。なお、ＯＶＦモードとＬＶモード以外の動作モードを設けてもよい。
【００３０】
焦点調節位置を選択する操作は、ＯＶＦモードではファインダー１６内の被写体像上で行い、ＬＶモードでは表示部２８に表示されたライブビュー画像上で行うのが通常である。しかし、ＯＶＦモードにおいて表示部２８を用いて焦点調節位置を決定する場合があり、このような場合に表示部２８にライブビュー画像が表示されないため、被写体の位置及び大きさを確認することができないという問題がある。そこで、本実施例においては、ＯＶＦモードで動作している際でも、表示部２８に表示したライブビュー画像上で焦点調節位置を設定可能な状態にに切り替える機能を設ける。この機能を利用することにより、ＯＶＦモードで表示部２８を用いて焦点調節位置を決定する場合においても、焦点調節位置を的確に選択することができる。
【００３１】
具体的には、ＯＶＦモードで動作中、所定の開始条件が満たされると、システム制御部５０は、被写体像をファインダー１６に映し出した状態から表示部２８に表示する状態に切り替える。そして、システム制御部５０は、ライブビュー画像に焦点調節位置を表す表示アイテムを重畳させた重畳画像を表示部２８に表示した状態（第１の状態）とし、その重畳画像において焦点調節位置の設定を行うことが可能な状態に変更する。表示アイテムとしては、例えば、各焦点検出位置（測距点）を示すＡＦフレームや、選択された焦点調節位置がある。複数の焦点検出位置の中からオートフォーカスに使用する焦点検出位置を、焦点調節位置として選択することが可能である。このとき、システム制御部５０は、各焦点検出位置を枠状の指標として表示してもよい。さらに、システム制御部５０は、現在選択されている焦点検出位置を焦点調節位置として各焦点検出位置と識別可能な状態で、それぞれライブビュー画像に重畳させて表示してもよい。例えば、システム制御部５０は、ライブビュー画面上で各焦点検出位置に細枠の指標を表示し、焦点調節位置に太枠の指標を表示してもよい。また、システム制御部５０は、焦点検出位置と焦点調節位置とで異なる色の枠を表示してもよい。そして、焦点検出部１１は、焦点調節位置において焦点検出を行う。なお、重畳画像の表示例に関しては図４Ｃに示される。
第１の状態への変更のトリガである開始条件は任意に設計できる。例えば、ライブビュー画像上での焦点調節位置の設定をユーザが望んでいると推認できる操作ないし動作を検出したことを開始条件としてもよい。例えば、ＯＶＦモードで動作しているときに焦点調節位置を変更するための第１の操作が行われたことを開始条件としてもよい。第１の操作は、例えばＡＦフレーム選択ボタン７７の押下、又は図４Ａの撮影機能画面で所定のタッチ操作をするなどである。また、ＯＶＦモードで動作しているときに接眼検知部５６により接眼が検知されていない状態で（つまり、ユーザがファインダー１６から眼を離した状態で）第１の操作があったことを開始条件としてもよい。上述の開始条件を満たし第１の状態とする場合には、システム制御部５０は、不図示のミラー駆動部によりミラー１２を入射光が当たらない位置に退避させて入射光を撮像部２２に導く。そして、撮像部２２からの出力信号に基づいてライブビュー画像が表示され、これにＡＦフレームを重畳させた画像を表示することで第１の状態となる。
【００３２】
一方で、システム制御部５０は、ＯＶＦモードで動作しているときに、接眼検知部５６により接眼が検知されている状態でユーザによって第１の操作が行われた場合には、第１の状態への変更は行わず、ＡＦフレーム等をファインダー内表示部４１に表示してもよい。これにより、フォーカシングスクリーン１３内に映し出された被写体像に、ＡＦフレームが重畳した状態でファインダー内表示部４１に表示される。なお、ＯＶＦモードで動作中にファインダーを覗きつつ、ユーザにより第１の操作が行われた場合に、システム制御部５０は、ファインダー内表示部４１に撮影機能画面を表示してもよい。
【００３３】
上述した第１の状態は一時的な状態であり、所定の終了条件が満たされた場合に、システム制御部５０が、元の状態（被写体像をファインダー１６に映し出す状態）に自動で戻すとよい。元の状態に戻すためのトリガである終了条件は任意に設計できる。例えば、ユーザが第１の状態を終了させる操作を行ったこと、ユーザの接眼を検知したこと、などを終了条件とすることができる。第１の状態を終了させる操作としては、例えば、シャッターボタンを半押しする操作、重畳画像において焦点調節位置を決定する操作などが含まれてもよい。
【００３４】
（設定処理の流れ）
図３は、実施例１における撮影に関する設定処理のフローチャートである。図３のフローチャートは、ＯＶＦモード（第１の動作モード）でユーザが各種設定を行う場合の処理の流れを示す。このフローチャートおける各処理は、システム制御部５０が不揮発性メモリ６６に格納されたプログラムをシステムメモリ５２に展開して実行することにより実現される。なお、実施例２の図５の処理においても同様である。
ステップＳ３０１では、システム制御部５０は、撮影に関する設定処理を終了させるか否かを判定する。処理を終了させる場合は、図３のフローチャートの処理を終了させ、そうでない場合はステップＳ３０２に進む。例えば、システム制御部５０は、シャッターボタン６１が半押し（又は全押し）された場合、一定時間操作がなされなかった場合、ＯＶＦモードに切り替える操作があった場合等に処理を終了させる。すなわち、撮影に関する各種の設定が完了し、実際に撮影を開始する時点で図３の処理を終了させる。処理を終了させる場合、システム制御部５０は、ファインダー１６内に表示されたＡＦフレームを非表示にする。
【００３５】
ステップＳ３０２では、システム制御部５０は、接眼検知部５６からの信号に基づいてユーザがファインダー１６を覗いているか（接眼状態か）否かを判定する。ファインダー１６を覗いていると判断した場合はステップＳ３０３へ進み、覗いていないと判断した場合にはステップＳ３０４に進む。
ステップＳ３０３では、システム制御部５０は、撮像装置１００の背面に配置されている表示部２８を非表示にし、ファインダー内表示部４１に設定状況を示すアイコンを表示する。これにより、ユーザはファインダー１６を覗きつつ設定状況を確認することができる。また、表示部２８が非表示となるため、ファインダー１６内に光が入らないようにすることができる。
【００３６】
ステップＳ３０４では、表示部２８に撮影機能画面を表示する。撮影機能画面とは、撮影に関する各種設定を行うための設定画面である。
図４Ａは、表示部２８に表示される撮影機能画面の例である。上述したように表示部２８の上層にタッチパネル７０ａが積層されており、ユーザはタッチパネル７０ａをタッチ操作することで撮影機能画面を操作することができる。また、ユーザは十字キー７４及びＳＥＴボタン７５を用いて撮影機能画面を操作することも可能である。
図４Ａに示す表示内のＱボタン領域４０１をタッチすることで撮影機能画面内に表示されている各アイコンが選択できるようになり、撮影機能画面で各種設定が行えるようになる。また、Ｑボタン領域４０１をタッチしてから所定時間経過した後は、各アイコンが選択できないようになる。これにより、撮影機能画面上でアイコンの押し間違いを抑制することができる。
【００３７】
ステップＳ３０５では、システム制御部５０は、撮影機能画面においてＡＦフレームの選択操作（第１の操作）を検出したか否かを判定する。ＡＦフレームの選択操作の例としては、例えば、ＡＦフレーム選択ボタン７７の押下、又は図４Ａの撮影機能画面で所定のタッチ操作をするなどである。ＡＦフレームの選択操作を検出した場合はステップＳ３０６に進み、そうでない場合はステップＳ３０１に戻る。
【００３８】
ステップＳ３０６では、システム制御部５０は、接眼検知部５６がファインダー１６の接眼部に対する目又は顔の接近を検知したか否かを判定する。接眼を検知した場合はステップＳ３０７に進み、そうでない場合はステップＳ３１０に進む。
ステップＳ３０７では、ファインダー内表示部駆動回路４２は、ファインダー内表示部４１で各ＡＦフレームを示す枠を表示させる。なお、次の図４ＢにＡＦフレームの表示例を示す。
【００３９】
図４Ｂは、ファインダー内表示部４１における表示例である。図４Ｂの例においては、ファインダー内表示部４１に列挙されている合計８５の四角形のアイコンがＡＦフレームとして表示される。ユーザはファインダー１６を覗きつつ、十字キー７４を用いて撮影に使用するＡＦフレームを選択することができる。図４Ｂの例では、現在選択状態となっているＡＦフレームが太枠で表示されており、ユーザは十字キー７４により別のＡＦフレームを選択することができる。そして、システム制御部５０は、ＡＦフレームの選択操作が完了した時点で選択状態となっているＡＦフレームの位置を焦点調節位置として設定する。
【００４０】
ステップＳ３０８では、システム制御部５０は、ＡＦフレーム選択操作が完了したか否かを判定する。例えば、所定時間操作部材の入力が無いと判断された場合、ＡＦフレーム選択ボタン７７が再度押下された場合などに、システム制御部５０はＡＦフレーム選択操作が完了したと判定する。システム制御部５０は、ＡＦフレーム選択操作の完了と判定した場合はステップＳ３０１に戻り、そうでなければ再度ステップＳ３０７の処理を行う。
【００４１】
ステップＳ３０６で接眼を検知しなかった場合、ステップＳ３１０の処理に進む。ステップＳ３１０では、システム制御部５０は、ミラー１２を移動させて入射光の光路から退避させ（ミラーアップ）、入射光を撮像部２２に導く。ミラーアップが完了した後、ステップＳ３１１に進む。
ステップＳ３１１では、システム制御部５０は、撮像部２２からの出力信号に基づいてライブビュー表示を開始する。ステップＳ３１２では、システム制御部５０は、ライブビュー表示にＡＦフレームを重畳させた画像（重畳画像）を表示部２８に表示させる。
【００４２】
図４Ｃは、表示部２８におけるライブビュー表示の例である。表示部２８には、選択されたＡＦフレームとともに戻るアイコン４２０が表示される。ここで図４Ｃの表示部２８に表示されている各ＡＦフレームは、ＯＶＦモードで使用されるＡＦフレームであり、ＬＶモードで使用されるＡＦフレームとは異なる。ＯＶＦモードとＬＶモードとでＡＦフレームが異なるのは、ＯＶＦモードでは焦点検出部１１で焦点検出が行われる一方で、ＬＶモードでは撮像部２２で焦点検出が行われており、焦点検出方法が異なるためである。なお、ＯＶＦモード及びＬＶモードで使用されるＡＦフレームがほぼ同一である場合は、システム制御部５０は共通のＡＦフレームを表示してもよい。
ユーザは、表示部２８に表示された各ＡＦフレームの中から、タッチ操作により撮影に使用するＡＦフレームを選択することができる。図４Ｃの例では現在選択状態となっているＡＦフレームが太枠で表示され、ユーザは他のＡＦフレームをタッチするか、十字キー７４で選択することにより他のＡＦフレームを選択することができる。
【００４３】
このように、ユーザは、表示部２８でライブビュー表示を確認しながらタッチ操作又は十字キー７４でＡＦフレームを選択することができる。ライブビュー表示にＡＦフレームを重畳表示するため、ユーザはＡＦフレームと被写体の位置関係をより正確に把握することができるようになり、焦点調節位置をより的確に選択することができる。また、ユーザはライブビュー画像上でタッチパネル７０ａを用いて複数のＡＦフレームの中から撮影に使用するＡＦフレームを選択することができるので操作性が向上する。
【００４４】
ステップＳ３１３では、システム制御部５０は、ＡＦフレームの選択操作が完了したか否かを判定する。例えば、所定時間操作部材の入力が無いと判断された場合、ＡＦフレーム選択ボタン７７が再度押下された場合、シャッターボタン６１が半押し状態となった場合等にシステム制御部５０はＡＦフレーム選択操作が完了したと判定する。ＡＦフレーム選択操作が完了したと判断された場合はステップＳ３１４へ進み、そうでなければ再度ステップＳ３１２の処理を繰り返す。
ステップＳ３１４では、システム制御部５０は、ライブビュー表示を終了させ、表示部２８を非表示の状態にする。ステップＳ３１５では、システム制御部５０は、ミラー１２を移動させて元の位置に戻し（ミラーダウン）、レンズ１０３からの入射光をフォーカシングスクリーン１３に導く。そして、ステップＳ３０１の処理に戻る。
【００４５】
また、図３において、ステップＳ３１０〜Ｓ３１５でＡＦフレームが選択された後に、処理がループしてステップＳ３０６において接眼が検知された場合、ユーザはステップＳ３０７においてＡＦフレームを選択しなおすことができる。表示先が切り替えられた場合、システム制御部５０は、表示部２８で選択されたＡＦフレームを、ファインダー内表示部４１において太枠で選択状態にして表示してもよい。
【００４６】
また、本実施例においては、複数のＡＦフレームの中から１のＡＦフレームを選択する（１点ＡＦ）の例について説明したが、これに限定されず、ゾーンＡＦのように複数のＡＦフレームを含む領域を選択できるようにしてもよい。例えば、３×３で合計９個のＡＦフレームを有するゾーンＡＦの場合、選択された領域の近傍の９個のＡＦフレームが太枠で表示される。また、１点ＡＦのＡＦフレーム、ゾーンＡＦのＡＦフレームを含む複数の種類のＡＦフレームの中から撮影に使用するフレームを選択することができるようにしてもよい。
なお、システム制御部５０はステップＳ３０４の撮影機能画面においてＡＦフレームの選択操作以外の他の設定を受け付けてもよい。
【００４７】
（効果）
このように、実施例１によればＯＶＦモードで撮影しているときでも、表示部２８においてはライブビュー表示にＡＦフレームを重畳させた状態で表示される。このため、ユーザは、焦点調節位置の選択時に被写体の位置及び大きさが確認できるようになり、焦点調節位置をより的確に選択することができる。また、タッチパネル７０ａを用いてＡＦフレームを選択したり、ＡＦフレームの位置を決定したりすることができるため、操作性が向上するという効果も得られる。
【００４８】
また、ＯＶＦモードで撮影する場合とＬＶモードで撮影する場合とで各ＡＦフレームの位置等が異なる場合がある。このような場合に、図３のステップＳ３１２（又は図５のステップＳ５１３）ではＯＶＦモードで撮影する場合の各ＡＦフレームが表示部２８に表示されるため、ライブビュー表示上で焦点調節位置をより的確に選択することができる。
【００４９】
＜実施例２＞
実施例１においては、ファインダー１８に接眼しているか否かに応じてフォーカシングスクリーン１３又は表示部２８のいずれかに表示を切り替えることを説明した。これに対して、実施例２においては、ＩＮＦＯボタン７８の押下によっていずれかに表示を切り替える。以下では、ＩＮＦＯボタン７８の押下に応じて表示を切り替える場合の実施例２の焦点調節位置の設定処理の流れについて説明する。なお、撮像装置１００に接眼検知部５６がない点を除いて、実施例２の撮像装置１００の外部構成及び内部構成は実施例１と同じであるので、本実施例では各部構成の説明を省略する。
【００５０】
（焦点調節位置の設定処理の流れ）
図５は、実施例２における焦点調節位置の設定処理のフローチャートである。
ステップＳ５０１では、システム制御部５０は、撮影に関する設定処理を終了させるか否かを判定する。処理を終了させる場合は、図５のフローチャートの処理を終了させ、そうでない場合はステップＳ５０２に進む。処理を終了させる場合は、システム制御部５０は、ファインダー１６内に表示されたＡＦフレームを非表示とする。
ステップＳ５０２では、システム制御部５０は、ＩＮＦＯボタン７８が押下されたか否かを判定する。ＩＮＦＯボタン７８が押下されていればステップＳ５０３に進む。押下されていなければステップＳ５０６に進む。
【００５１】
ステップＳ５０３では、システム制御部５０は、表示部２８に撮影機能画面が表示されているか否かを判定する。撮影機能画面とは、例えば図４Ａに示される画面である。システム制御部５０は、撮影機能画面が表示されている場合、ステップＳ５０４へ進み撮影機能画面を非表示にする。一方、システム制御部５０は、撮影機能画面が表示されていない場合、ステップＳ５０５へ進み撮影機能画面を表示する。なお、上記ではＩＮＦＯボタン７８が撮影機能画面の表示、非表示を切り替えるための操作ボタンであるものとして説明したが、ＩＮＦＯボタン７８を他の画面に切り替えるための操作ボタンとして機能させてもよい。
【００５２】
ステップＳ５０６では、システム制御部５０は、ＡＦフレームの選択操作がなされたか否かを判定する。ＡＦフレームの選択操作が実施されていない場合、ステップＳ５０１へ戻る。ＡＦフレームの選択操作が検出された場合、ステップＳ５０７に進む。ステップＳ５０７では、システム制御部５０は、表示部２８に撮影機能画面が表示されているか否かを判定する。撮影機能画面が表示されている場合、ステップＳ５０８へ進み、撮影機能画面が表示されていない場合、ステップＳ５１１に進む。なお、ステップＳ５０８及びステップＳ５０９は、図３のステップＳ３０７及びステップＳ３０８の処理と同じ処理であり、ステップＳ５１１〜Ｓ５１６は、図３のステップＳ３１０〜Ｓ３１５の処理と同じ処理であるので、それぞれの説明を省略する。
【００５３】
以上のように実施例２においてはＩＮＦＯボタン７８の押下により、撮影機能画面の表示非表示が切り替わるとともに、ファインダー１６でＡＦフレームを選択するか、表示部２８でＡＦフレームを選択するかを切り替えることができる。これにより、接眼センサを有しない撮像装置においてもＡＦフレームをより的確に選択することが可能となる。
【００５４】
（他の実施例）
上述したように、ＯＶＦモードで撮影する場合とＬＶモードで撮影する場合とでＡＦフレームの位置等が異なる場合がある。このような場合に、図３のステップＳ３１２（又は図５のステップＳ５１３）で、システム制御部５０は、ＯＶＦモード及びＬＶモードで撮影する場合のＡＦフレームを、切り替えられるようにしてもよい。これにより、ＯＶＦモードで撮影する場合のＡＦフレームとＬＶモードで撮影する場合のＡＦフレームとを比較することができるようになり、さらに利便性が向上する。なお、ＯＶＦモード及びＬＶモードで撮影する場合のＡＦフレームのうち、ＬＶモードで撮影する場合のＡＦフレームが選択された場合、システム制御部５０は動作モードをＬＶモードに切り替えてもよい。
【００５５】
なお、システム制御部５０が行うものとして説明した上述の各種制御は、１つのハードウェアが行ってもよいし、複数のハードウェアが処理を分担することで、装置全体の制御を行ってもよい。
また、本発明をその好適な実施例に基づいて詳述してきたが、本発明はこれら特定の実施例に限られるものではなく、この発明の要旨を逸脱しない範囲の様々な形態も本発明に含まれる。さらに、上述した各実施例は本発明の一実施例を示すものにすぎず、各実施例
を適宜組み合わせることも可能である。
【００５６】
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
１１：焦点検出部、１３：フォーカシングスクリーン、２２：撮像部、２４：画像処理部、２８：表示部、４１：ファインダー内表示部、５０：システム制御部、５６：接眼検知部、６０：モード切替スイッチ、１００：撮像装置
【図１】
2019053211.tif 000003
【図２】
2019053211.tif 000004
【図３】
2019053211.tif 000005
【図４】
2019053211.tif 000006
【図５】
2019053211.tif 000007